(57)【要約】【課題】所謂屑片を生成せしめることなく中栓（４）の閉塞壁（８）に通過開口（８８）を生成し、破断可能薄肉ライン（３２）を充分確実に所要とおりに破断することができる、中栓及び蓋本体（６）を具備する合成樹脂製容器蓋を提供すること。【解決手段】中栓は閉塞壁及び装着壁（１０）を含み、蓋本体は覆壁（４６）及び嵌合壁（４８）を含む。閉塞壁には破断可能薄肉ライン及び被係止手段（４０）が配設されており、覆壁には係止手段（８０）が配設されている。中栓に蓋本体を所要とおりに装着すると係止手段が被係止手段に係止せしめられる。【選択図】図１
2014101126.tif 000002
【特許請求の範囲】
【請求項１】
容器の口頸部に装着される合成樹脂製中栓と該中栓に装着される合成樹脂製蓋本体とから構成され、
該中栓は円形閉塞壁及び該閉塞壁の外周縁に接続された筒形装着壁を含み、該装着壁を容器の口頸部の外周面に嵌合せしめることによって容器の口頸部に装着され、該閉塞壁が容器の口頸部を閉塞し、
該蓋本体は円形覆壁及び該覆壁の外周縁に接続された筒形嵌合壁を含み、該嵌合壁を該中栓の該装着壁の外周面に嵌合することによって該中栓に回転自在に装着され、該覆壁が該中栓の該閉塞壁の上方に位置し、
該中栓の該閉塞壁には少なくとも１個の破断可能薄肉ラインが形成されており、該破断可能薄肉ラインは破断開始端部から延びる外側弧状部と該破断開始端部から延びる内側弧状部とを有し、該外側弧状部と該内側弧状部との間に円弧状変形領域が規定されており、
該変形領域における該破断開始端近傍上面には被係止手段が配設されており、
該蓋本体の該覆壁には少なくとも１個の排出開口が形成されており、該覆壁の下面には該中栓に該蓋本体を装着すると該中栓の該被係止手段に係止せしめられる係止手段が配設されており、
該中栓の該装着壁の外周面と該蓋本体の該嵌合壁の内周面との一方には案内手段が配設され、他方には該案内手段と協働する被案内手段が配設されており、
該中栓に該蓋本体を装着した状態において該蓋本体を所定方向に回転せしめると該案内手段と該被案内手段との協働によって該蓋本体は回転と共に該中栓に対して漸次上昇せしめられ、該係止手段及び該被係止手段を介して該変形領域に力が加えられ、該中栓の該破断可能薄肉ラインが破断されると共に該変形領域が変形され、これによって該中栓の該閉塞壁に通過開口が生成される、
ことを特徴とする容器蓋。
【請求項２】
該中栓の該閉塞壁には該破断可能薄肉ラインが周方向に等間隔をおいて２個乃至３個形成され、該変形領域が周方向に等間隔をおいて２個乃至３個規定されている、請求項１記載の容器蓋。
【請求項３】
該中栓の該閉塞壁に形成されている該破断可能薄肉ラインの該外側弧状部及び該内側弧状部は上方から見て反時計方向に該破断開始端から延在し、該所定方向は上方から見て反時計方向である、請求項１又は２記載の容器蓋。
【請求項４】
該案内手段は該所定方向に向かって漸次上方に変位するカム溝から構成され、該被案内手段は該カム溝内に収容されるカム突起から構成されている、請求項１から３までのいずれかに記載の容器蓋。
【請求項５】
該カム溝には該カム突起と協働して該中栓に対して該蓋本体が該所定方向の反対方向に回転するのを阻止する回転阻止手段が付設されている、請求項４記載の容器蓋。
【請求項６】
該カム溝には該中栓に対する該蓋本体の該所定方向への回転を所定角度に制限する回転制限手段が付設されている、請求項４又は５記載の容器蓋。
【請求項７】
該カム溝には該中栓に対して該蓋本体が該所定方向に該回転制限手段によって制限されるまで回転せしめられると、該中栓に対して該蓋本体が該所定方向の反対方向に回転するのを阻止する逆転阻止手段が形成されている、請求項６記載の容器蓋。
【請求項８】
該所定方向に見て該回転阻止手段の下流側には、該カム突起の周方向長さと同等の周方向長さを有する没入部が形成されており、周方向において該カム突起を該没入部に整合せしめて該中栓に該蓋本体を装着することによって、該中栓の該被係止手段の各々に該蓋本体の該係止手段の各々が係止せしめられる、請求項１から７までのいずれかに記載の容器蓋。
【請求項９】
該中栓の該被係止手段は該変形領域から上方に延びる支柱と該支柱に付設されたリングとから構成されており、該蓋本体の該係止手段は該覆壁から垂下するフック形状片から構成されている、請求項１から８までのいずれかに記載の容器蓋。
【発明の詳細な説明】
【技術分野】
【０００１】
本発明は、容器の口頸部に装着される合成樹脂製中栓とこの中栓に装着される合成樹脂製蓋本体とから構成された容器蓋に関する。
【背景技術】
【０００２】
下記特許文献１には、容器の口頸部に装着される合成樹脂製中栓とこの中栓に装着される合成樹脂製蓋本体とから構成された容器蓋が開示されている。中栓は円形閉塞壁及びこの閉塞壁の外周縁に接続された筒形装着壁を含み、装着壁を容器の口頸部の外周面に嵌合せしめることによって容器の口頸部に装着され、閉塞壁が容器の口頸部を閉塞する。蓋本体は円形覆壁及びこの覆壁の外周面に接続された嵌合壁を含み、嵌合壁の内周面に形成されている雌螺条を中栓の装着壁の外周面に形成されている雄螺条に螺合せしめることによって中栓に装着され、覆壁は中栓の閉塞壁の上方に位置する。中栓の閉塞壁には勾玉状の除去領域を規定する破断可能薄肉ラインが形成されていると共に、除去領域から上方に延出する鍵状被係止片が形成されている。蓋本体の覆壁の下面には中栓の被係止片に係止せしめられる鍵状係止片が形成されている。中栓に蓋本体が所用とおりに装着されている状態において、中栓に対して蓋本体を上方から見て反時計方向（中栓から蓋本体を離脱する方向）に回転せしめると、蓋本体の係止片及び中栓の被係止片を介して中栓の除去領域に力が加えられ、破断可能薄肉ラインが破断されて除去領域が閉塞壁から除去され、これにとって閉塞壁に通過開口が生成される。
【先行技術文献】
【特許文献】
【０００３】
【特許文献１】特開２００５−５９９３３号公報
【発明の概要】
【発明が解決しようとする課題】
【０００４】
上記特許文献１に開示されている上記のとおりの容器蓋は、中栓の閉塞壁に指を当接せしめて衛生上の問題を発生せしめることなく、単に中栓に対して蓋本体を回転せしめることによって中栓の閉塞壁に形成されている破断可能薄肉ラインを破断して除去領域を閉塞壁から除去して通過開口を生成することができる。しかしながら、未だ充分に満足し得るものではなく、除去領域が閉塞壁から分離されて所謂屑片となり、かかる屑片が容器内に入り込んでしまう、或いは屑片を取り出して破棄するという煩雑な処理を遂行することが必要である。また、係止片と被係止片との係止が必ずしも充分ではないことに起因して、破断可能薄肉ラインを所要とおりに破断することができない虞もある。
【０００５】
本発明は上記事実に鑑みてなされたものであり、その主たる技術的課題は、所謂屑片を生成せしめることなく中栓の閉塞壁に通過開口を生成することができる、新規且つ改良された容器蓋を提供することである。
【０００６】
本発明の他の技術的課題は、上記主たる技術的課題の解決に加えて、破断可能薄肉ラインを充分確実に所要とおりに破断することができる、新規且つ改良された容器蓋を提供することである。
【課題を解決するための手段】
【０００７】
本発明によれば、中栓の閉塞壁に形成する破断可能薄肉ラインを独特な形態にすることによって上記主たる技術的課題が達成される。
【０００８】
即ち、本発明によれば、上記主たる技術的課題を達成することができる容器蓋として、容器の口頸部に装着される合成樹脂製中栓と該中栓に装着される合成樹脂製蓋本体とから構成され、
該中栓は円形閉塞壁及び該閉塞壁の外周縁に接続された筒形装着壁を含み、該装着壁を容器の口頸部の外周面に嵌合せしめることによって容器の口頸部に装着され、該閉塞壁が容器の口頸部を閉塞し、
該蓋本体は円形覆壁及び該覆壁の外周縁に接続された筒形嵌合壁を含み、該嵌合壁を該中栓の該装着壁の外周面に嵌合することによって該中栓に回転自在に装着され、該覆壁が該中栓の該閉塞壁の上方に位置し、
該中栓の該閉塞壁には少なくとも１個の破断可能薄肉ラインが形成されており、該破断可能薄肉ラインは破断開始端部から延びる外側弧状部と該破断開始端部から延びる内側弧状部とを有し、該外側弧状部と該内側弧状部との間に円弧状変形領域が規定されており、
該変形領域における該破断開始端近傍上面には被係止手段が配設されており、
該蓋本体の該覆壁には少なくとも１個の排出開口が形成されており、該覆壁の下面には該中栓に該蓋本体を装着すると該中栓の該被係止手段に係止せしめられる係止手段が配設されており、
該中栓の該装着壁の外周面と該蓋本体の該嵌合壁の内周面との一方には案内手段が配設され、他方には該案内手段と協働する被案内手段が配設されており、
該中栓に該蓋本体を装着した状態において該蓋本体を所定方向に回転せしめると該案内手段と該被案内手段との協働によって該蓋本体は回転と共に該中栓に対して漸次上昇せしめられ、該係止手段及び該被係止手段を介して該変形領域に力が加えられ、該中栓の該破断可能薄肉ラインが破断されると共に該変形領域が変形され、これによって該中栓の該閉塞壁に通過開口が生成される、
ことを特徴とする容器蓋が提供される。
【０００９】
上記他の技術的課題は、該中栓の該被係止手段を該変形領域から上方に延びる支柱と該支柱に付設されたリングとから構成し、該蓋本体の該係止手段を該覆壁から垂下するフック形状片から構成することによって達成される。
【００１０】
好ましくは、該中栓の該閉塞壁には該破断可能薄肉ラインが周方向に等間隔をおいて２個乃至３個形成され、該変形領域が周方向に等間隔をおいて２個乃至３個規定されている。該中栓の該閉塞壁に形成されている該破断可能薄肉ラインの該外側弧状部及び該内側弧状部は上方から見て反時計方向に該破断開始端から延在し、該所定方向は上方から見て反時計方向であるのが好適である。該案内手段は該所定方向に向かって漸次上方に変位するカム溝から構成され、該被案内手段は該カム溝内に収容されるカム突起から構成されているのが好都合である。該カム溝には該カム突起と協働して該中栓に対して該蓋本体が該所定方向の反対方向に回転するのを阻止する回転阻止手段が付設されているのが好ましい。該カム溝には該中栓に対する該蓋本体の該所定方向への回転を所定角度に制限する回転制限手段が付設されているのが好適である。該カム溝には該中栓に対して該蓋本体が該所定方向に該回転制限手段によって制限されるまで回転せしめられると、該中栓に対して該蓋本体が該所定方向の反対方向に回転するのを阻止する逆転阻止手段が形成されているのが好ましい。好適には、該所定方向に見て該回転阻止手段の下流側には、該カム突起の周方向長さと同等の周方向長さを有する没入部が形成されており、周方向において該カム突起を該没入部に整合せしめて該中栓に該蓋本体を装着することによって、該中栓の該被係止手段の各々に該蓋本体の該係止手段の各々が係止せしめられる。好ましくは、該中栓の該被係止手段は該変形領域から上方に延びる支柱と該支柱に付設されたリングとから構成されており、該蓋本体の該係止手段は該覆壁から垂下するフック形状片から構成されている。
【発明の効果】
【００１１】
本発明の容器蓋においては、中栓の閉塞壁に指を当接せしめて衛生上の問題を生成せしめることなく、単に中栓に対して蓋本体を所定方向に回転せしめることによって中栓の閉塞壁に通過開口を生成することができることに加えて、中栓の通過開口は変形領域を（閉塞壁から分離することなく）変形せしめることによって生成され、従って所謂屑片が発生することはない。中栓の被係止手段を変形領域から上方に延びる支柱とこの支柱に付設されたリングとから構成し、蓋本体の係止手段を覆壁から垂下するフック形状片から構成する場合、リングをフック形状片の相互係止は充分に強固であり、相互係止が毀損されてしまう虞は実質上皆無であり、破断可能薄肉ラインは充分確実に破断される。
【図面の簡単な説明】
【００１２】
【図１】本発明に従って構成された容器蓋の好適実施形態の、中栓のＡ−Ａ断面図。
【図２】図１に示す中栓の平面図。
【図３】図１に示す中栓の正面図。
【図４】図１に示す中栓の側面図。
【図５】本発明に従って構成された容器蓋の好適実施形態の、蓋本体の断面図。
【図６】図５に示す蓋本体の底面図。
【図７】本発明に従って構成された中栓と蓋本体を組み合わせて容器に装着させた状態の断面図。
【図８】本発明に従って構成された中栓と蓋本体を組み合わせて容器に装着させた状態の正面図。
【図９】本発明に従って構成された中栓と蓋本体を組み合わせて容器に装着させ、蓋本体を中栓に対して開方向に略１８０度回転せしめた状態で示す正面図。
【図１０】本発明に従って構成された中栓と蓋本体を組み合わせて容器に装着させ、蓋本体を中栓に対して開方向に略１８０度回転せしめた状態で示す断面図。
【図１１】本発明に従って構成された中栓と蓋本体を組み合わせて容器に装着させ、蓋本体を中栓に対して開方向に略１８０度回転せしめ、外蓋を旋回開回動せしめた状態で示す正面図。
【発明を実施するための形態】
【００１３】
以下、本発明の実施形態を図示している添付図面を参照して、更に詳細に説明する。
【００１４】
本発明に従って構成される容器蓋は、図１乃至図４に示す中栓４と図５及び図６に示す蓋本体６から構成され、中栓４及び蓋本体６はいずれもポリエチレン又はポリプロピレンの如き合成樹脂から一体に形成されている。
【００１５】
図１乃至図４を参照して説明すると、中栓４は、略円形閉塞壁８と、筒形装着壁１０と、円筒形シール壁１２と、を含む。シール壁１２は、装着壁１０の内周面における軸線方向略中間部から半径方向内方へ略水平に延出する接続部１３を介して垂下せしめられ、シール壁１２の内周面下端部において閉塞壁８の外周縁に接続せしめられている。装着壁１０の内周面下端には後述する容器口頸部の係止あご部と係合する環状係止突条１４が形成されている。図３及び図４に図示するとおり、装着壁１０の外周面には後述する嵌合壁に形成される被案内手段と協働する少なくとも１個の案内手段が形成されている。図示の実施形態においては、案内手段は装着壁１０の外周面に形成される２個のカム溝１８から構成されている。図３及び図４から明確に理解される如く、２個のカム溝１８は直径方向反対に位置せしめられ、夫々のカム溝１８は周方向略１８０度に渡って形成されている。カム溝１８は、装着壁１０の軸線方向略中間部において反時計方向に所定距離だけ水平にせしめられた下側水平部１８ａと、下側水平部１８ａの下流側より漸次上方に傾斜せしめられる傾斜部１８ｂと、装着壁１０の軸線方向略中間部より上方において傾斜部１８ｂの下流側より所定距離水平にせしめられる上側水平部１８Ｃと、から構成されている。カム溝１８の下方にはカム溝１８と隣接して半径方向外方に突出する下側突条１９ａと、カム溝１８の上方にはカム溝１８と隣接して半径方向外方に突出する上側突条１９ｂが形成されている。下側突条１９ａは均一な軸線方向幅でカム溝１８の下面と平行して形成されている。上側突条１９ｂは、カム溝１８の下流端（即ち図３において右端）より上流側に下側突条１９ａと同一の軸線方向幅で上側水平部１８ｃ及び傾斜部１８ｂの図３における周方向略中間部近傍までカム溝１８の上面と平行して形成せしめられるが、その後は上側突条１９ｂの軸線方向幅は漸次増大（上側突条１９ｂの下面はカム溝１８の上面と平行するが上側突条１９ｂの上面は略水平に）せしめられる。次いで、上側突条１９ｂの軸線方向幅は、下側水平部１８ａの上方において下側突条１９ａの軸線方向幅と同一の軸線方向幅に減少せしめられ、上側突条１９ｂはカム溝１８の上流端（即ち図３において左端）まで上記軸線方向幅で水平に形成せしめられている。カム溝１８には回転阻止手段及び回転制限手段並びに逆転阻止手段が形成されているのが好適である。図示の実施形態においては、回転阻止手段としてカム溝１８の上流端で半径方向外方に突出して軸線方向に延びる回転防止壁２０と、回転制限手段としてカム溝１８の下流端で半径方向外方に突出して軸線方向に延びる回転制限壁２２と、逆転阻止手段として傾斜部１８ｂと上側水平部１８ｃとの接続部における下側突条１９ａの上面より上方に突出する突出部２４と、が夫々形成されている。上側突条１９ｂの上部であって回転防止壁２０の若干下流側には没入部２６が形成されている。没入部２６の図３における左端部は隣接する上側突条１９ｂの下流端上面と傾斜面２７により連接せしめられている。回転制限壁２２と突出部２４との間の周方向長さ及び没入部２６の周方向長さは、いずれも後述するカム突起の周方向長さと略同等にせしめられている。更に、装着壁１０の外周面下端部は比較的肉厚にせしめられ、環状空隙２８とつまみ３０が形成されている。かような装着壁１０の下端部の構成自体は、容器蓋の分別廃棄に際して、容器蓋を容器口部から容易に取り除くことを可能とし、それ自体周知な形状であり、詳細については特開平１０−５９４００号及び特開２００４−８３０９２号公報を参照されたい。
【００１６】
図１と共に図２を参照して説明すると、閉塞壁８の上面には少なくとも１個の破断可能薄肉ライン３２が形成されていることが重要である。図示の実施形態においては、２個の薄肉ライン３２が形成され、閉塞壁８の中心に関して点対称に位置せしめられている。薄肉ライン３２は、閉塞壁８の中央から半径方向外方に所定距離だけ離隔して位置する曲率半径が比較的小さい半円形状の破断開始端部３３から反時計方向に延びる外側弧状部３４と、外側弧状部３４よりも半径方向内方であって破断開始端部３３から反時計方向に延びる内側弧状部３６とを有する。更に詳細には、図示の実施形態においては、外側弧状部３４は破断開始端部３３の半径方向外側端より閉塞壁８の外周縁部に漸次近接せしめられた後に円弧状に、内側弧状部３６は破断開始端部３３の半径方向内側端より直線に所定距離だけ延びた後に円弧状にせしめられるが全体として円弧状に、形成せしめられている。外側弧状部３４と内側弧状部３６との間には円弧状変形領域３８が規定されている。更に、変形領域３８における破断開始端部３３の近傍上面には後述する蓋本体６の覆壁に形成されている係止手段と係止する被係止手段４０が配設されていることが重要である。図示の実施形態において、被係止手段４０は支柱４２とリング４４から構成されている。支柱４２は破断開始端部３３の図２における時計方向端より僅かに反時計方向側に位置し、その横断面形状は略矩形形状を有する。リング４４は平面図において略楕円形状であって、支柱４２の上端に半径方向外方に付設せしめられており、リング４４の外周面は下方に漸次傾斜せしめられている。
【００１７】
図５及び図６を参照して説明すると、蓋本体６は、円形覆壁４６と、覆壁４６の外周縁より垂下せしめられる筒形嵌合壁４８を含む。覆壁４６の下面周縁部には、中栓４と蓋本体６とを組み合わせた状態において装着壁１０の内周面と密接する円筒形シール壁５４が垂下して形成されている。覆壁４６の上面周縁部には、上方に延出する比較的低い円筒形係止壁５６と、かかる係止壁５６よりも半径方向内方に係止壁５６よりも高く上方に延出する円筒形注出壁５８が形成されている。シール壁５４及び係止壁５６並びに注出壁５８の中心位置はいずれも覆壁４６の中心位置と同一に位置せしめられている。係止壁５６の上端には、後述する外蓋に形成された被係止溝と係合する、半径方向外方に突出した環状係止突条６０が形成されている。注出壁５８の図５における右側においては、図５における左側と比べて覆壁４６からの上方への延出高さが低く、注出壁５８の上端は半径方向外方且つ上方へ傾斜せしめられている。一方、注出壁５８の図５において左側は、注出壁５８の上端が半径方向外方に湾曲せしめられたリップ形状にせしめられている。覆壁４６の中央領域には２個の蒲鉾形排出開口６２が形成され、排出開口６２の夫々の直線部分が後述するヒンジ手段と平行になるように若干の間隔を有して左右対称に位置せしめられている。図５及び図６より明確に理解されるとおり、嵌合壁４８には、図６における上端部及び下端部（後述するヒンジ手段から図６において、夫々、反時計方向及び時計方向に略９０度の角度間隔をおいた部分）に、夫々、略矩形状の切欠６４が形成されている。嵌合壁４８の内周面には、中栓４と蓋本体６との組み合わせ時において中栓４の案内手段１６と協働する複数個の被案内手段が形成されている。図示の実施形態においては、被案内手段は２個の周方向に延在して半径方向内方に突出するカム突起６８から構成され、一方のカム突起６８は図６における右端近傍（図６において後述するヒンジ手段中央位置に隣接する位置）より僅かに時計方向側に位置し、他方のカム突起６８はその直径方向反対側に位置せしめられる。所望ならば、嵌合壁４８の外周面に被案内手段を形成し、装着壁１０に案内手段を形成せしめてもよい。
【００１８】
図５及び図６を参照して説明を続けると、覆壁４６の下面には、中栓４に蓋本体６を装着すると中栓４の被係止手段４０に係止せしめられる係止手段８０が配設されているのが重要である。図示の実施形態においては、係止手段８０は覆壁４６から垂下する２個のフック形状片８２から構成される。フック形状片８２は排出開口６２よりも半径方向外方であって、その中心が図６において切欠６４の中心と覆壁４６の中心とを結ぶ同一直線状に位置せしめられる。更にフック形状片８２はそのフック先端部が図６において時計方向側（即ち、中栓４を蓋本体６に組み合わせた状態で上方から見て反時計方向側）を向くように位置せしめられている。
【００１９】
嵌合壁４８の上端においてヒンジ手段５０を介して接続される外蓋５２は、中央部が（図４においては下方に）僅かに膨張した略円形天面壁７０と天面壁７０の外周縁より垂下する円筒形スカート壁７２から構成されている。天面壁７０の内面中央には略円筒形シール壁７４が形成され、シール壁７４の延出長さはヒンジ手段５０に近接する部分から離隔するに従い漸次短くせしめられている。また、天面壁７０のヒンジ手段５０と直径方向反対位置には半径方向外方に突出した鍔部７６が形成されており、消費者は外蓋５２を図９に示す閉位置から図１１に示す開位置へ旋回せしめる際に容易に指を掛けることができる。スカート壁７２の内周面下端には外蓋５２の閉位置において係止壁５６の係止突条６０と係合する環状被係止溝７８が形成されている。
【００２０】
図７を参照して説明を続けると、上述したとおりの中栓４及び蓋本体６は図７に図示するとおりに組み合わせて流通させる。詳述すると、中栓４に蓋本体６を位置合わせ、即ち周方向において中栓４の没入部２６に蓋本体６のカム突起６８を整合せしめて、中栓４に蓋本体６を被嵌せしめる。かかる位置合わせは、カム突起６８が傾斜面２７に沿って下降せしめられて没入部２６へ確実に案内されることにより達成される。傾斜面２７の下端と上側突条１９ｂとの連接部が回転防止壁２０よりも図４において右側に位置する故に、上記嵌合時にカム突起６８が回転防止壁２０と干渉することはない。かくして、蓋本体６に形成されたカム突起６８は中栓４の上側突条１９ｂのみを弾性的に乗り越え、カム突起６８とカム溝１８との協働により中栓４と蓋本体６は上下方向に固定される。蓋本体６のフック形状片８２は中栓４のリング４４を通過することで、フック形状片８２の先端部がリング４４に係止せしめられるが、この段階ではフック形状片８８の上方から見た反時計方向先端はリング４４の内周面と当接せしめられてはいない。この時、カム突起６８の時計方向側には近接して回転阻止手段を構成する回転防止壁２０が位置する故に、蓋本体６は中栓４に対して所定方向と反対方向、即ち時計方向に回転せしめられることが阻止される。この状態で、中栓４及び蓋本体６は図７に二点鎖線で図示するガラス或いはポリエチレンテレフタレート製の如き適宜の容器の口頸部８４に装着される。口頸部８４は上面が開口された略円筒形状であり、その外周面上端部には環状係止あご部８６が形成されている。中栓４及び蓋本体６は、中栓４のシール壁１２を口頸部８４内に挿入し、装着壁１０を口頸部８４の外周に被嵌せしめることによって口頸部８４に装着される。シール壁１２の外周面は口頸部８４の内周面に密接せしめられる。装着壁１０の内周面に形成されている係止突条１４は、口頸部８４の係止あご部８６を弾性的に乗り越えて、これに係止せしめられ、容器の口頸部８４に中栓４及び蓋本体６が保持される。
【００２１】
容器内に収容されている内容物を消費する際には、最初に、例えば蓋本体６の嵌合壁４８の外周面に指を掛けて蓋本体６を中栓４に対して図８に図示する状態から図９に図示する状態まで所定方向、即ち上方から見て反時計方向へ、相対的に略１８０度の角度範囲に渡って回転せしめる。かかる回転は中栓４における装着壁１０の内周面と蓋本体６におけるシール壁５４の外周面との密接状態は維持されたまま行われる。この時、蓋本体６に形成されたカム突起６８と中栓４に形成されたカム溝１８との協働により蓋本体６は中栓４に相対して漸次上昇せしめられる。即ち、上記回転前の状態においては、カム突起６８はカム溝１８内における下側水平部１８ａに位置する。上記回転を開始せしめると、カム突起６８はカム溝１８の下側水平部１８ａを下側突条１９ａに沿って反時計（図３において右）方向に移動せしめられ、カム溝１８の傾斜部１８ｂに案内される。カム突起６８がカム溝１８の傾斜部１８ｂに進入せしめられると、以後は上記回転に従ってカム突起６８が傾斜部１８ｂを下側突条１９ａに沿って漸次上昇せしめられる。然るに蓋本体６は相対して漸次上昇せしめられる。上記回転を所定角度完了せしめると、カム突起６８は突出部２４を乗り越えてカム溝１８の上側水平部１８ｃに案内される。かくして蓋本体６の前記上昇は停止せしめられる。上記回転が１８０度に達すると、カム突起６８は突出部２４を周方向に完全に乗り越えて回転制限壁２２に当接し、以後の回転が阻止される。これにより上記回転の完了を消費者が認知することができる。更に、上記の如くカム突起６８が突出部２４を周方向に完全に乗り越える故に、カム溝１８の上側水平部１８ｃ内においてカム突起６８が下側突条１９ａに沿って時計方向に回転せしめられることはなく、かくして蓋本体６が中栓４に対して時計方向に回転せしめることが防止される。
【００２２】
上記回転に際し、覆壁４６の下面に形成されているフック形状片８２も上方から見て反時計方向に回転せしめられるが、フック形状片８２は中栓４のリング４４と係合している故に、上記回転には時計方向への反力が生じる。かかる反力に抗して蓋本体６を回転せしめると、変形領域３８の破断開始端部３３に応力が集中し、薄肉ライン３２の破断が開始せしめられる。上記回転を継続せしめると、フック形状片８２とリング４４とは係合状態を維持したまま、上記回転に伴って上方から見て反時計方向に回転せしめられ、そしてまたカム溝１８とカム突起６８との協働により上記回転に伴って軸線方向上方に変位され、かくして薄肉ライン３２における外側弧状部３４及び内側弧状部３６の破断が充分容易に進行する。その際、リング４４は支柱４２を介して変形領域３８と連接されており、変形領域３８は破断可能な外側弧状部３４と内側弧状部３６に挟まれている故に、変形領域３８は図１０に図示する如く変形領域３８の下流端（図２において二点鎖線で図示）を閉塞壁８に連接せしめたまま支柱４２の下方に適宜折りたたまれ、かくして通過開口８８が形成せしめられる。
【００２３】
次いで、鍔部７６に指を掛けて外蓋５２を上方に強制すると、外蓋５２は図９に図示する閉位置から図１１に図示する開位置に旋回開回動せしめられ、注出壁５８が露呈される。次いで、容器を適宜に傾斜せしめれば、容器内の内容物が通過開口８８及び排出開口６２を通して注出壁５８に案内され、排出される。内容物を所定量注出した後、ヒンジ手段５０を旋回中心として外蓋５２を旋回閉回動せしめると、外蓋５２は蓋本体６の覆壁４６及びその上面に形成されている注出壁５８を覆う。外蓋５２のシール壁７４は注出壁５８内に進入せしめられ、シール壁７４の外周面が注出壁５８の内周面に密接せしめられシールされる。
【符号の説明】
【００２４】
４：中栓
６：蓋本体
８：閉塞壁
１０：装着壁
１８：カム溝（案内手段）
２０：回転防止壁（回転阻止手段）
２２：回転制限壁（回転制限手段）
２４：突出部（逆転阻止手段）
２６：没入部
３２：薄肉ライン
３４：外側弧状部
３６：内側弧状部
３８：変形領域
４０：被係止手段
４２：支柱
４４：リング
４６：覆壁
４８：嵌合壁
５２：外蓋
６２：排出開口
６４：切欠
６８：カム突起（被案内手段）
７０：天面壁
７２：スカート壁
８０：係止手段
８２：フック形状片
８４：口頸部
８６：係止あご部
８８：通過開口
【図１】
2014101126.tif 000003
【図２】
2014101126.tif 000004
【図３】
2014101126.tif 000005
【図４】
2014101126.tif 000006
【図５】
2014101126.tif 000007
【図６】
2014101126.tif 000008
【図７】
2014101126.tif 000009
【図８】
2014101126.tif 000010
【図９】
2014101126.tif 000011
【図１０】
2014101126.tif 000012
【図１１】
2014101126.tif 000013
【手続補正書】
【提出日】平成25年2月21日(2013.2.21)
【手続補正１】
【補正対象書類名】特許請求の範囲
【補正対象項目名】全文
【補正方法】変更
【補正の内容】
【特許請求の範囲】
【請求項１】
容器の口頸部に装着される合成樹脂製中栓と該中栓に装着される合成樹脂製蓋本体とから構成され、
該中栓は円形閉塞壁及び該閉塞壁の外周縁に接続された筒形装着壁を含み、該装着壁を容器の口頸部の外周面に嵌合せしめることによって容器の口頸部に装着され、該閉塞壁が容器の口頸部を閉塞し、
該蓋本体は円形覆壁及び該覆壁の外周縁に接続された筒形嵌合壁を含み、該嵌合壁を該中栓の該装着壁の外周面に嵌合することによって該中栓に回転自在に装着され、該覆壁が該中栓の該閉塞壁の上方に位置し、
該中栓の該閉塞壁には少なくとも１個の破断可能薄肉ラインが形成されており、該破断可能薄肉ラインは破断開始端部から延びる外側弧状部と該破断開始端部から延びる内側弧状部とを有し、該外側弧状部と該内側弧状部との間に弧状変形領域が規定されており、
該変形領域における該破断開始端近傍上面には被係止手段が配設されており、
該蓋本体の該覆壁には少なくとも１個の排出開口が形成されており、該覆壁の下面には該中栓に該蓋本体を装着すると該中栓の該被係止手段に係止せしめられる係止手段が配設されており、
該中栓の該装着壁の外周面と該蓋本体の該嵌合壁の内周面との一方には案内手段が配設され、他方には該案内手段と協働する被案内手段が配設されており、
該中栓に該蓋本体を装着した状態において該蓋本体を所定方向に回転せしめると該案内手段と該被案内手段との協働によって該蓋本体は回転と共に該中栓に対して漸次上昇せしめられ、該係止手段及び該被係止手段を介して該変形領域に力が加えられ、該中栓の該破断可能薄肉ラインが破断されると共に該変形領域が変形され、これによって該中栓の該閉塞壁に通過開口が生成される、
ことを特徴とする容器蓋。
【請求項２】
該中栓の該閉塞壁には該破断可能薄肉ラインが周方向に等間隔をおいて２個乃至３個形成され、該変形領域が周方向に等間隔をおいて２個乃至３個規定されている、請求項１記載の容器蓋。
【請求項３】
該中栓の該閉塞壁に形成されている該破断可能薄肉ラインの該外側弧状部及び該内側弧状部は上方から見て反時計方向に該破断開始端から延在し、該所定方向は上方から見て反時計方向である、請求項１又は２記載の容器蓋。
【請求項４】
該案内手段は該所定方向に向かって漸次上方に変位するカム溝から構成され、該被案内手段は該カム溝内に収容されるカム突起から構成されている、請求項１から３までのいずれかに記載の容器蓋。
【請求項５】
該カム溝には該カム突起と協働して該中栓に対して該蓋本体が該所定方向の反対方向に回転するのを阻止する回転阻止手段が付設されている、請求項４記載の容器蓋。
【請求項６】
該カム溝には該中栓に対する該蓋本体の該所定方向への回転を所定角度に制限する回転制限手段が付設されている、請求項４又は５記載の容器蓋。
【請求項７】
該カム溝には該中栓に対して該蓋本体が該所定方向に該回転制限手段によって制限されるまで回転せしめられると、該中栓に対して該蓋本体が該所定方向の反対方向に回転するのを阻止する逆転阻止手段が形成されている、請求項６記載の容器蓋。
【請求項８】
該所定方向に見て該回転阻止手段の下流側には、該カム突起の周方向長さと同等の周方向長さを有する没入部が形成されており、周方向において該カム突起を該没入部に整合せしめて該中栓に該蓋本体を装着することによって、該中栓の該被係止手段の各々に該蓋本体の該係止手段の各々が係止せしめられる、請求項１から７までのいずれかに記載の容器蓋。
【請求項９】
該中栓の該被係止手段は該変形領域から上方に延びる支柱と該支柱に付設されたリングとから構成されており、該蓋本体の該係止手段は該覆壁から垂下するフック形状片から構成されている、請求項１から８までのいずれかに記載の容器蓋。
【手続補正２】
【補正対象書類名】明細書
【補正対象項目名】０００２
【補正方法】変更
【補正の内容】
【０００２】
下記特許文献１には、容器の口頸部に装着される合成樹脂製中栓とこの中栓に装着される合成樹脂製蓋本体とから構成された容器蓋が開示されている。中栓は円形閉塞壁及びこの閉塞壁の外周縁に接続された筒形装着壁を含み、装着壁を容器の口頸部の外周面に嵌合せしめることによって容器の口頸部に装着され、閉塞壁が容器の口頸部を閉塞する。蓋本体は円形覆壁及びこの覆壁の外周面に接続された嵌合壁を含み、嵌合壁の内周面に形成されている雌螺条を中栓の装着壁の外周面に形成されている雄螺条に螺合せしめることによって中栓に装着され、覆壁は中栓の閉塞壁の上方に位置する。中栓の閉塞壁には勾玉状の除去領域を規定する破断可能薄肉ラインが形成されていると共に、除去領域から上方に延出する鍵状被係止片が形成されている。蓋本体の覆壁の下面には中栓の被係止片に係止せしめられる鍵状係止片が形成されている。中栓に蓋本体が所用とおりに装着されている状態において、中栓に対して蓋本体を上方から見て反時計方向（中栓から蓋本体を離脱する方向）に回転せしめると、蓋本体の係止片及び中栓の被係止片を介して中栓の除去領域に力が加えられ、破断可能薄肉ラインが破断されて除去領域が閉塞壁から除去され、これによって閉塞壁に通過開口が生成される。
【手続補正３】
【補正対象書類名】明細書
【補正対象項目名】０００８
【補正方法】変更
【補正の内容】
【０００８】
即ち、本発明によれば、上記主たる技術的課題を達成することができる容器蓋として、  容器の口頸部に装着される合成樹脂製中栓と該中栓に装着される合成樹脂製蓋本体とから構成され、
該中栓は円形閉塞壁及び該閉塞壁の外周縁に接続された筒形装着壁を含み、該装着壁を容器の口頸部の外周面に嵌合せしめることによって容器の口頸部に装着され、該閉塞壁が容器の口頸部を閉塞し、
該蓋本体は円形覆壁及び該覆壁の外周縁に接続された筒形嵌合壁を含み、該嵌合壁を該中栓の該装着壁の外周面に嵌合することによって該中栓に回転自在に装着され、該覆壁が該中栓の該閉塞壁の上方に位置し、
該中栓の該閉塞壁には少なくとも１個の破断可能薄肉ラインが形成されており、該破断可能薄肉ラインは破断開始端部から延びる外側弧状部と該破断開始端部から延びる内側弧状部とを有し、該外側弧状部と該内側弧状部との間に弧状変形領域が規定されており、
該変形領域における該破断開始端近傍上面には被係止手段が配設されており、
該蓋本体の該覆壁には少なくとも１個の排出開口が形成されており、該覆壁の下面には該中栓に該蓋本体を装着すると該中栓の該被係止手段に係止せしめられる係止手段が配設されており、
該中栓の該装着壁の外周面と該蓋本体の該嵌合壁の内周面との一方には案内手段が配設され、他方には該案内手段と協働する被案内手段が配設されており、
該中栓に該蓋本体を装着した状態において該蓋本体を所定方向に回転せしめると該案内手段と該被案内手段との協働によって該蓋本体は回転と共に該中栓に対して漸次上昇せしめられ、該係止手段及び該被係止手段を介して該変形領域に力が加えられ、該中栓の該破断可能薄肉ラインが破断されると共に該変形領域が変形され、これによって該中栓の該閉塞壁に通過開口が生成される、
ことを特徴とする容器蓋が提供される。
【手続補正４】
【補正対象書類名】明細書
【補正対象項目名】００１２
【補正方法】変更
【補正の内容】
【００１２】
【図１】本発明に従って構成された容器蓋の好適実施形態における中栓の、図２の線Ａ−Ａに沿った断面図。
【図２】図１に示す中栓の平面図。
【図３】図１に示す中栓の正面図。
【図４】図１に示す中栓の側面図。
【図５】本発明に従って構成された容器蓋の好適実施形態における蓋本体の断面図。
【図６】図５に示す蓋本体の底面図。
【図７】本発明に従って構成された中栓と蓋本体を組み合わせて容器に装着させた状態の断面図。
【図８】本発明に従って構成された中栓と蓋本体を組み合わせて容器に装着させた状態の正面図。
【図９】本発明に従って構成された中栓と蓋本体を組み合わせて容器に装着させ、蓋本体を中栓に対して開方向に略１８０度回転せしめた状態で示す正面図。
【図１０】本発明に従って構成された中栓と蓋本体を組み合わせて容器に装着させ、蓋本体を中栓に対して開方向に略１８０度回転せしめた状態で示す断面図。
【図１１】本発明に従って構成された中栓と蓋本体を組み合わせて容器に装着させ、蓋本体を中栓に対して開方向に略１８０度回転せしめ、外蓋を旋回開回動せしめた状態で示す正面図。
【手続補正５】
【補正対象書類名】明細書
【補正対象項目名】００１５
【補正方法】変更
【補正の内容】
【００１５】
図１乃至図４を参照して説明すると、中栓４は閉塞壁８及び筒形装着壁１０を含む。閉塞壁８は実質上水平に延在する円形中央主部８ａ、この中央主部８ａの周縁から実質上鉛直に上方へ延びるシール部８ｂ及びシール部８ｂの上端から半径方向外方に実質上水平に延びる円環形状外周縁部８ｃを有する。装着壁１０の内周面は軸線方向略中間部において閉塞壁８の外周縁と接続せしめられている。装着壁１０の内周面下端には後述する容器口頸部の係止あご部と係合する環状係止突条１４が形成されている。図３及び図４に図示するとおり、装着壁１０の外周面には後述する嵌合壁に形成される被案内手段と協働する少なくとも１個の案内手段が形成されている。図示の実施形態においては、案内手段は装着壁１０の外周面に形成される２個のカム溝１８から構成されている。図３及び図４から明確に理解される如く、２個のカム溝１８は直径方向反対に位置せしめられ、夫々のカム溝１８は周方向略１８０度に渡って形成されている。カム溝１８は、装着壁１０の軸線方向略中間部において反時計方向に所定距離だけ水平にせしめられた下側水平部１８ａと、下側水平部１８ａの下流側より漸次上方に傾斜せしめられる傾斜部１８ｂと、装着壁１０の軸線方向略中間部より上方において傾斜部１８ｂの下流側より所定距離水平にせしめられる上側水平部１８Ｃと、から構成されている。カム溝１８の下方にはカム溝１８と隣接して半径方向外方に突出する下側突条１９ａと、カム溝１８の上方にはカム溝１８と隣接して半径方向外方に突出する上側突条１９ｂが形成されている。下側突条１９ａは均一な軸線方向幅でカム溝１８の下面と平行して形成されている。上側突条１９ｂは、カム溝１８の下流端（即ち図３において右端）より上流側に下側突条１９ａと同一の軸線方向幅で上側水平部１８ｃ及び傾斜部１８ｂの図３における周方向略中間部近傍までカム溝１８の上面と平行して形成せしめられるが、その後は上側突条１９ｂの軸線方向幅は漸次増大（上側突条１９ｂの下面はカム溝１８の上面と平行するが上側突条１９ｂの上面は略水平に）せしめられる。次いで、上側突条１９ｂの軸線方向幅は、下側水平部１８ａの上方において下側突条１９ａの軸線方向幅と同一の軸線方向幅に減少せしめられ、上側突条１９ｂはカム溝１８の上流端（即ち図３において左端）まで上記軸線方向幅で水平に形成せしめられている。カム溝１８には回転阻止手段及び回転制限手段並びに逆転阻止手段が形成されているのが好適である。図示の実施形態においては、回転阻止手段としてカム溝１８の上流端で半径方向外方に突出して軸線方向に延びる回転防止壁２０と、回転制限手段としてカム溝１８の下流端で半径方向外方に突出して軸線方向に延びる回転制限壁２２と、逆転阻止手段として傾斜部１８ｂと上側水平部１８ｃとの接続部における下側突条１９ａの上面より上方に突出する突出部２４と、が夫々形成されている。上側突条１９ｂの上部であって回転防止壁２０の若干下流側には没入部２６が形成されている。没入部２６の図３における左端部は隣接する上側突条１９ｂの下流端上面と傾斜面２７により連接せしめられている。回転制限壁２２と突出部２４との間の周方向長さ及び没入部２６の周方向長さは、いずれも後述するカム突起の周方向長さと略同等にせしめられている。更に、装着壁１０の外周面下端部は比較的肉厚にせしめられ、環状空隙２８とつまみ３０が形成されている。かような装着壁１０の下端部の構成自体は、容器蓋の分別廃棄に際して、中栓を容器口部から容易に取り除くことを可能とするためのものであり、それ自体は周知な形状であり、その詳細については例えば特開平１０−５９４００号及び特開２００４−８３０９２号公報を参照されたい。
【手続補正６】
【補正対象書類名】明細書
【補正対象項目名】００１６
【補正方法】変更
【補正の内容】
【００１６】
図１と共に図２を参照して説明すると、閉塞壁８には少なくとも１個の破断可能薄肉ライン３２が形成されていることが重要である。図示の実施形態においては、２個の薄肉ライン３２が形成され、閉塞壁８の中心に関して点対称に位置せしめられている。薄肉ライン３２は、閉塞壁８の中央から半径方向外方に所定距離だけ離隔して位置する曲率半径が比較的小さい半円形状の破断開始端部３３から反時計方向に延びる外側弧状部３４と、外側弧状部３４よりも半径方向内方であって破断開始端部３３から反時計方向に延びる内側弧状部３６とを有する。更に詳細には、図示の実施形態においては、外側弧状部３４は破断開始端部３３の半径方向外側端より閉塞壁８の外周縁部に漸次近接せしめられた後に円弧状に、内側弧状部３６は破断開始端部３３の半径方向内側端より直線状に所定距離だけ延びた後に円弧状に延び、全体として弧状である。外側弧状部３４と内側弧状部３６との間には円弧状変形領域３８が規定されている。更に、変形領域３８における破断開始端部３３の近傍上面には後述する蓋本体６の覆壁に形成されている係止手段と係止する被係止手段４０が配設されていることが重要である。図示の実施形態において、被係止手段４０は支柱４２とリング４４から構成されている。支柱４２は破断開始端部３３の図２における時計方向端より僅かに反時計方向側に位置し、その横断面形状は略矩形形状を有する。リング４４は平面図において略楕円形状であって、支柱４２の上端に半径方向外方に付設せしめられており、リング４４の外周面は下方に漸次傾斜せしめられている。
【手続補正７】
【補正対象書類名】明細書
【補正対象項目名】００２０
【補正方法】変更
【補正の内容】
【００２０】
図７を参照して説明を続けると、上述したとおりの中栓４及び蓋本体６は図７に図示するとおりに組み合わせて流通させる。詳述すると、中栓４に蓋本体６を位置合わせ、即ち周方向において中栓４の没入部２６に蓋本体６のカム突起６８を整合せしめて、中栓４に蓋本体６を被嵌せしめる。かかる位置合わせは、カム突起６８が傾斜面２７に沿って下降せしめられて没入部２６へ確実に案内されることにより達成される。傾斜面２７の下端と上側突条１９ｂとの連接部が回転防止壁２０よりも図４において右側に位置する故に、上記嵌合時にカム突起６８が回転防止壁２０と干渉することはない。かくして、蓋本体６に形成されたカム突起６８は中栓４の上側突条１９ｂのみを弾性的に乗り越え、カム突起６８とカム溝１８との協働により中栓４と蓋本体６は上下方向に固定される。蓋本体６のフック形状片８２は中栓４のリング４４を通過することで、フック形状片８２の先端部がリング４４に係止せしめられるが、この段階ではフック形状片８８の上方から見た反時計方向先端はリング４４の内周面と当接せしめられてはいない。この時、カム突起６８の時計方向側には近接して回転阻止手段を構成する回転防止壁２０が位置する故に、蓋本体６は中栓４に対して所定方向と反対方向、即ち時計方向に回転せしめられることが阻止される。この状態で、中栓４及び蓋本体６は図７に二点鎖線で図示するガラス或いはポリエチレンテレフタレート製の如き適宜の容器の口頸部８４に装着される。口頸部８４は上面が開口された略円筒形状であり、その外周面上端部には環状係止あご部８６が形成されている。中栓４及び蓋本体６は、中栓４のシール部８ｂを口頸部８４内に挿入し、装着壁１０を口頸部８４の外周に被嵌せしめることによって口頸部８４に装着される。シール部８ｂの外周面は口頸部８４の内周面に密接せしめられる。装着壁１０の内周面に形成されている係止突条１４は、口頸部８４の係止あご部８６を弾性的に乗り越えて、これに係止せしめられ、容器の口頸部８４に中栓４及び蓋本体６が保持される。
【手続補正８】
【補正対象書類名】図面
【補正対象項目名】図１
【補正方法】変更
【補正の内容】
【図１】
2014101126.tif 000014
【手続補正９】
【補正対象書類名】図面
【補正対象項目名】図７
【補正方法】変更
【補正の内容】
【図７】
2014101126.tif 000015